(57)【要約】      （修正有）【課題】竹ひごなどの前材料や竹網の表面に張る紙を必要とせず、多彩な表情を装着できる竹灯り透過細工孔付き絵文字投影加工付き器具を提供する。【解決の手段】竹その物に、直接竹表面表皮部と竹内側裏表皮面部を備え、灯り透過図案孔を設け、竹内側裏表皮面部に投影切り絵図案・文字貼付部設け、絵図や文字を切り抜いた、黒の紙の切り絵を装着する。【選択図】図１
0003184776.tif 000002
【実用新案登録請求の範囲】
【請求項１】
竹行灯本体に竹行灯飾り土台下部と竹行灯飾り冠枠上部を設け、竹行灯本体の表面を、削り竹表面表皮部を設け、竹表面表皮部に図案を模様した灯り透過図案孔を設け、竹表面表皮部に図案・文字が投影される投影透過部を設け、竹内側裏表皮面部は薄く削り投影切り絵図案・文字貼付部を設け、投影切り絵図案・文字貼付部に当たる面に黒等の紙の切り絵を備え投影切り絵図案・文字貼付部は竹内側裏表皮面部より更に透き通るように薄く削るように設け、竹行灯本体に備えた投影透過部が、電灯台本体に備えたソケット部に電灯部を設け、差込みコンセントを電気配線されたコンセント口に差込み、切換スィッチにて電灯を灯火し、竹行灯本体に備えた竹行灯飾り土台下部を電灯台本体に装着するように設けたときに、竹内側裏表皮面部に備えた投影切り絵図案・文字貼付部図案・文字貼付部に設けた図案や文字などが、投影透過部に影絵のように照射され浮き上がり、灯り透過図案孔から灯りが、照射され行灯の効果を発揮するように装着した竹灯り透過細工孔付き絵文字投影加工付き竹行灯器具。
【請求項２】
電灯台本体に設けたソケット部と電灯部の代わりにろうそくを設け、竹内側裏表皮面部に備えた投影切り絵図案・文字貼付部に設けた図案や文字などが、投影透過部に影絵のように照射され浮き上がり、灯り透過図案孔から灯りが、照射され行灯の効果を発揮するように装着したしたことを特徴とする請求項１記載の竹灯透過細工孔付き絵文字投影加工付き竹行灯器具。
【請求項３】
青竹を伐採し、枝葉を伐り落とし竹棒状に伐採するように、青竹の原料を加工するように設け、２５ｃｍ〜３０ｃｍの長さに切り落とすように加工原料を設け、竹に持っている水分を自然乾し等により３日目の程々に湿度を残した青竹を原材料とするように設け、青竹の竹表面を剥き削り落として竹の白肌にするように設けた竹行灯本体を加工し、電灯台本体に設けたソケット部に使用する電灯部は白熱電球などに比較して熱量が少なく、定格消費電力３．８Ｗで定格寿命４００００ｈ持つことを、特徴とする請求項１記載の竹灯透過細工孔付き絵文字投影加工付き竹行灯器具。
【考案の詳細な説明】
【技術分野】
【０００１】  この考案は、自然の竹が持つ神秘的な灯りを再現するために竹に灯り透過図案孔と投影切り絵図案・文字貼付部を備えた投影透過部を設け竹に設けた灯り透過図案孔を通し、竹から放射される光と投影切り絵図案・文字貼付部に当たる面に黒の紙の切り絵を設け投影透過部から投影される影絵による灯りを得た竹灯り透過細工孔付き絵文字投影加工付き竹行灯に関するものである。
【背景技術】
【０００２】  従来は、竹を細く切り裂き細竹を加工した材料を多数用いて、竹編みや竹合わせした籠を組み立て、竹籠に紙を貼って灯りを灯していた。
【考案の開示】
【考案が解決しようとする課題】
【０００３】  その為に次のような問題点があった。
細竹の組合せによる竹籠の為にそのままでは灯りを灯しても裸の竹網のままでは、行灯の効果を発揮することができない為に、行灯としての明るさの光を広げる為に、竹網の表面に紙を貼らなければならなかった。    本考案は以上の問題点を解決する為になされたものである。
【課題を解決するための手段】
【０００４】  竹その物に直接竹表面表皮部と竹内側裏表皮面部を備え、灯り透過図案孔を設け、竹内側裏表皮面部に投影切り絵図案・文字貼付部設け、絵図や文字を切り抜いた黒の紙の切り絵を装着し、竹本体を加工細工した竹灯り透過細工孔付き絵文字投影加工付き竹行灯器具
【考案の効果】
【０００５】  竹その物を加工する為に  竹ひごなどの前材料などを必要としないので、自然の竹
そのものを行灯に加工細工する為に、竹に設けた灯り透過図案孔によるユニークな図案孔を多数制作できまた灯り図案と絵や文字等からさらなる、新しい影絵を投影することにより、多彩な表情を装着した竹灯り透過細工孔付き絵文字投影加工付き竹行灯器具である。
【考案を実施するための最良の形態】
【０００６】  以下本考案の実施の形態に付いて説明する。
（イ）竹行灯本体（１）に竹行灯飾り土台下部（２）と竹行灯飾り冠枠上部（３）を設け、竹行灯本体（１）の表面を、削り竹表面表皮部（４）を設け、竹表面表皮部（４）に図案を模様した灯り透過図案孔（５）を設ける。
（ロ）竹表面表皮部（４）に図案・文字が投影される投影透過部（６）を設け、竹内側裏表皮面部（１１）は薄く削り投影切り絵図案・文字貼付部（１０）を設ける。
（ハ）投影切り絵図案・文字貼付部（１０）に当たる面に黒等の紙の切り絵を備え、投影切り絵図案・文字貼付部（１０）を設ける。
（ニ）竹内側裏表皮面部（１１）より更に透き通るように薄く削るように設ける。
本考案は、以上の構造でこれを使用するときは、竹行灯本体（１）に備えた投影透過部（６）が、電灯台本体（７）に備えたソケット部（１２）に電灯部（１３）を設け、差込みコンセント（８）を電気配線されたコンセント口に差込み、切換スィッチ（９）にて、電灯を灯火する。竹行灯本体（１）に備えた竹行灯飾り土台下部（２）を電灯台本体（７）に装着するように設けたときに、竹内側裏表皮面部（１１）に備えた投影切り絵図案・文字貼付部（１０）に設けた図案や文字などが、投影透過部（６）に影絵のように照射され浮き上がり、灯り透過図案孔（５）から灯りが、照射され行灯の効果を発揮するように装着して、竹灯り透過細工孔付き絵文字投影加工付き竹行灯が灯火を行う。
【図面の簡単な説明】
【０００７】
【図１】  本考案の実施による正面図から示す斜視図
【図２】  本考案の実施による底面図から示す斜視図
【図３】  本考案の実施による平面図から示す斜視図
【図４】  本考案の実施の形態に係る電灯台本体を示す斜視図
【図５】  本考案の正面実施状態を示す写真から示す斜視図
【図６】  本考案の底面実施状態を示す写真から示す斜視図
【図７】  本考案の別例実施状態を示す写真から示す斜視図
【図８】  本考案の別例実施状態を示す写真から示す底斜視図
【図９】  本考案の別例実施状態を示す写真から示す斜視図
【符号の説明】
【０００８】１      竹行灯本体
２      竹行灯飾り土台下部
３      竹行灯飾り冠枠上部
４      竹表面表皮部
５      灯り透過図案孔
６      投影透過部
７      電灯台本体
８      差込みコンセント
９      切換スィッチ
１０    投影切り絵図案・文字貼付部
１１    竹内側裏表皮面部
１２    ソケット部
１３    電灯部
【図１】
0003184776.tif 000003
【図２】
0003184776.tif 000004
【図３】
0003184776.tif 000005
【図４】
0003184776.tif 000006
【図５】
0003184776.tif 000007
【図６】
0003184776.tif 000008
【図７】
0003184776.tif 000009
【図８】
0003184776.tif 000010
【図９】
0003184776.tif 000011